(57)【特許請求の範囲】
【請求項１】
機能部品を収納するための筐体において、
前記機能部品の少なくとも一部を覆う被覆部材を備え、
前記被覆部材は、矩形板状の本体を有し、
該本体の前記機能部品に向かう面と反対側の面の、長手方向に延びる両端縁部に、垂直に立ち上がる立ち上がり部を備えることを特徴とする筐体。
【請求項２】
前記筐体は、前カバー及び後カバーを有し、
前記被覆部材は、前記前カバー及び後カバーの接合部分の内側に配置されることを特徴とする請求項１に記載の筐体。
【請求項３】
前記被覆部材は、前記本体の前記機能部品に向かう面に垂直に設けられ、前記後カバーに取り付けるための取付部を備えることを特徴とする請求項２に記載の筐体。
【請求項４】
前記取付部は、前記本体の短手方向の一方の端部からコの字状に切れ目を設け、該切れ目を設けた部分を切り起こすことにより形成してあることを特徴とする請求項３に記載の筐体。
【請求項５】
前記機能部品は矩形板状をなし、
前記被覆部材は、前記機能部品の長側面、及び該長側面に隣接する両短側面の一部を覆うように構成されていることを特徴とする請求項１から４までのいずれか１項に記載の筐体。
【請求項６】
前記被覆部材の一部に、前記機能部品の側面との間隔を隔てるためのスペーサを備えることを特徴とする請求項５に記載の筐体。
【請求項７】
前記被覆部材は、前記機能部品の全側面を覆うように構成されていることを特徴とする請求項５又は６に記載の筐体。
【請求項８】
映像を表示する表示部と、
該表示部を収納する請求項１から７までのいずれか一つに記載の筐体と
を備えることを特徴とする表示装置。
【請求項９】
請求項１から７までのいずれか一つに記載の筐体を壁に取り付けてあることを特徴とする浴室。
【発明の詳細な説明】
【技術分野】
【０００１】
本発明は、浴室に機能部品を設置するための筐体、該筐体を備える表示装置、及び前記筐体を壁に取り付けてある浴室に関する。
【背景技術】
【０００２】
近年、居住環境の改善の一つとして、浴室の壁に、テレビジョン受信機（以下、ＴＶ受信機という）等を取り付けることが行われている。浴室の壁にＴＶ受信機を取り付けてある場合、入浴しながらテレビジョン放送の視聴を行うことができる。
【０００３】
浴室の壁にＴＶ受信機を設置する場合、ＴＶ受信機の表示パネルを含む表示部（機能部品）を防水する必要がある。
表示部内への水の浸入を防止するために、表示部を、前カバーと後カバーとを連結してなる筐体に収納してＴＶ受信機を構成し、該ＴＶ受信機を浴室の壁に設置することが行われている。
【０００４】
しかし、前カバーと後カバーと連結の誤差等により、筐体内に水が浸入することが考えられる。このような場合に、表示部に水がかからないような構造が求められている。例えば、前カバーは、矩形のガラス板等の透明板に枠が一体化した構成となっているが、透明板と枠との隙間から水が浸入するのを防止する必要がある。
また、前カバー及び後カバーは極力、表示部の大きさに近いことが求められていることから、カバーを極力小さくしつつ、表示部を安定して保持する構造も求められている。
これらの要求を満たすコンパクトな構造が求められている。
【０００５】
表示装置の防水構造として、特許文献１には、表示パネルと、表示パネルの外周部を支持するフレーム部材とを有し、表示パネルの下側の端縁部の背面側にフレキシブル基板を接続するとともに、前記端縁部の正面側に防水シートの端部を接続し、防水シートを、フレキシブル基板を覆うように屈曲させた状態でフレーム部材の内側に配置した構造が開示されている。そして、フレーム部材の内面には、不織布、スポンジ、発泡材、吸水ゲル等の吸水性を有する部材からなる吸水部材が貼り付けられている。
【先行技術文献】
【特許文献】
【０００６】
【特許文献１】特許第４９１１９８３号公報
【発明の概要】
【発明が解決しようとする課題】
【０００７】
特許文献１の表示装置によれば、水で濡らした雑巾などで表示パネルの表示面を拭いた場合に、雑巾等に含まれる水分が表示パネルとフレーム部材の隙間を通ってフレーム部材の内部に進入したとき、その水分は吸水部材に吸収される。また、防水シートが壁になり、フレーム部材の底面に貯まった水がフレキシブル回路基板等に付着するのを防止することができる。
しかし、特許文献１の構造においては、防水シートを、フレキシブル基板を覆うように屈曲させた状態で配置するので、フレーム部材の内側に一定のスペースを要し、しかも表示パネルを支持するものではないので、上述の、カバーを極力小さくしつつ、ＴＶ受信機を安定して保持するという要求を満たすことができないという問題がある。
【０００８】
本発明は斯かる事情に鑑みてなされたものであり、水が浸入した場合に、簡単な構造で機能部品に水がかかるのを良好に防止することができる筐体、該筐体を備える表示装置、及び前記筐体を壁に取り付けてある浴室を提供することを目的とする。
【課題を解決するための手段】
【０００９】
本発明に係る筐体は、機能部品を収納するための筐体において、前記機能部品の少なくとも一部を覆う被覆部材を備え、前記被覆部材は、矩形板状の本体を有し、該本体の前記機能部品に向かう面と反対側の面の、長手方向に延びる両端縁部に、垂直に立ち上がる立ち上がり部を備えることを特徴とする。
【００１０】
本発明に係る筐体は、前記筐体は、前カバー及び後カバーを有し、前記被覆部材は、前記前カバー及び後カバーの接合部分の内側に配置されることを特徴とする。
【００１１】
本発明に係る筐体は、前記機能部品は矩形板状をなし、前記被覆部材は、前記機能部品の長側面、及び該長側面に隣接する両短側面の一部を覆うように構成されていることを特徴とする。
【００１２】
本発明に係る筐体は、前記被覆部材の一部に、前記機能部品の側面との間隔を隔てるためのスペーサを備えることを特徴とする。
【００１３】
本発明に係る筐体は、前記被覆部材は、前記本体の前記機能部品に向かう面に垂直に設けられ、前記後カバーに取り付けるための取付部を備えることを特徴とする。
【００１４】
本発明に係る筐体は、前記取付部は、前記部分の短手方向の一方の端部からコの字状に切れ目を設け、該切れ目を設けた部分を切り起こすことにより形成してあることを特徴とする。
【００１５】
本発明に係る筐体は、前記被覆部材は、前記機能部品の全側面を覆うように構成されていることを特徴とする。
【００１６】
本発明に係る表示装置は、映像を表示する表示部と、該表示部を収納する上述のいずれかの筐体とを備えることを特徴とする。
【００１７】
本発明に係る浴室は、上述のいずれかの筐体を壁に取り付けてあることを特徴とする。
【発明の効果】
【００１８】
本発明によれば、機能部品の少なくとも一部を覆う被覆部材を備えるので、筐体内に水が浸入した場合に、機能部品に水がかかるのを良好に防止することができる。
【図面の簡単な説明】
【００１９】
【図１】本発明の実施の形態１に係る浴室の一部を示す模式的斜視図である。
【図２】浴室に表示装置が設置された状態を示す縦断面図である。
【図３】図２の上側部分を示す縦断面図である。
【図４】図２の下側部分を示す縦断面図である。
【図５】本発明の実施の形態１に係る表示装置の外観を示す斜視図である。
【図６】表示装置の分解斜視図である。
【図７】表示部の分解斜視図である。
【図８】表示装置の一部分解斜視図である。
【図９】後カバーの斜視図である。
【図１０】本発明の実施の形態１に係る被覆部材を示す斜視図である。
【図１１】被覆部材を示す正面図である。
【図１２】被覆部材を示す斜視図である。
【図１３】本発明の実施の形態２に係る被覆部材を示す斜視図である。
【図１４】本発明の実施の形態３に係る被覆部材を示す斜視図である。
【図１５】本発明の実施の形態４に係る被覆部材を示す斜視図である。
【発明を実施するための形態】
【００２０】
以下本発明をその実施の形態を示す図面に基づき具体的に説明する。
実施の形態１．
図１は本発明の実施の形態１に係る浴室２の一部を示す模式的斜視図、図２は浴室２に表示装置１が設置された状態を示す縦断面図、図３は図２の上側部分を示す縦断面図、図４は図２の下側部分を示す縦断面図、図５は表示装置１の外観を示す斜視図、図６は表示装置１の分解斜視図、図７は表示部３の分解斜視図、図８は表示装置１の一部分解斜視図、図９は後カバー４の斜視図である。なお、以下の説明では、各図中に矢印で示す上下、左右、前後を使用する。
【００２１】
図１に示すように、浴室２内の壁面は複数の壁パネル２１を用いて構成されている。浴室２は、一般的に、図示しない浴槽、洗い場、壁パネル２１を支持する複数の柱材としてのポスト、ポストの頂部を連結して設けられたつなぎ梁、つなぎ梁に支持された天井パネル、浴室出入り口、及び窓等を備えている。また、洗い場の壁面には、鏡、カウンター棚、照明機器、水栓金具、カラン、及びシャワー等が設けられている場合もある。浴室２内の壁の一部は、上側パネル２２と下側パネル２３とに分割されており、上側パネル２２及び下側パネル２３の間に開口部２２ａが形成されている。この開口部２２ａは、矩形状をなし、上下部分は上側パネル２２及び下側パネル２３の夫々の端縁によって構成されており、左右部分は、上側パネル２２及び下側パネル２３を支持するポストで構成されている。本発明に係る表示装置１は、上側パネル２２及び下側パネル２３の間の開口部２２ａに設置されている。
【００２２】
図２〜図４に示すように、表示装置１は、前側の周縁部分が化粧パネル２４に覆われた状態で、支持フレーム２５によって、上側パネル２２及び下側パネル２３の間の開口部２２ａに埋め込まれる形で設置されている。支持フレーム２５は、開口部２２ａの各縁ごとに４つの金属製の部材で構成されており、これらの部材が溶接によって一体化されている。化粧フレーム２４は矩形枠状の被覆部材であり、上下左右の４つのアルミニウム製の化粧板とこれらを接続する接続部材とからなる。なお、化粧フレーム２４の材質は、アルミニウムに限るものではなく、他の金属でもよく、樹脂又はガラスでもよい。
【００２３】
図５に示すように、表示装置１は、横長で、厚みが薄い直方体状をなす。表示装置１は、テレビジョン放送を受信し、液晶表示パネル等の表示パネルを用いて前面に映像を表示するテレビジョン受信機である。
【００２４】
図６に示すように、表示装置１は、表示パネルを含む表示部３を前カバー１１及び後カバー４で前後から挟んだ構成となっている。表示部３は本発明における機能部品に相当する。表示部３は横長で、厚みが薄い直方体形状に構成されており、前カバー１１は表示部３よりも前側に配置され、後カバー４は表示部３よりも後側に配置されている。前カバー１１は、矩形の例えばガラス板等の透明板１１１に枠１１２が一体化した構成となっており、表示部３の前側を覆っている。後カバー４は、金属製であり、矩形の皿板状に形成されている。前カバー１１及び後カバー４の周縁部分はフランジになっている。
【００２５】
表示部３と前カバー１１との間には枠状のクッション部材１２が配置されている。クッション部材１２は、表示部３の前面に接触し、衝撃及び振動を緩衝させる。表示部３の上方には、表示部３の上側の長側面及び該長側面の両側の短側面の一部を覆う被覆部材６が設けられており、表示部３の下方には、表示部３の下側の長側面及び該長側面の両側の短側面の一部を覆う被覆部材７が設けられている。被覆部材６及び７の詳細は後述する。また、表示部３、被覆部材６及び７の外側には、弾性材で構成された枠状のパッキン１５が配置されている。前カバー１１、後カバー４、クッション部材１２、被覆部材６、被覆部材７、及びパッキン１５は、本発明に係る筐体１０を構成している。
【００２６】
前カバー１１及び後カバー４は、クッション部材１２、表示部３、被覆部材６、被覆部材７、及びパッキン１５を間に挟んでいる。パッキン１５は、前カバー１１及び後カバー４のフランジの間に配置されている。前カバー１１及び後カバー４のフランジは、クッション部材１２、表示部３、被覆部材６、及び被覆部材７よりも外側で、パッキン１５を介在させた状態で互いに当接している。前カバー１１及び後カバー４のフランジは、複数のネジにより連結されている。パッキン１５は、筐体１０内への水の浸入を防止する。
【００２７】
図３、４、及び７に示すように、表示部３は、映像を表示するための液晶表示パネル（以下、表示パネルという）３４を有している。矩形の表示パネル３４の前側の縁部及び側面には、枠状のパネルガイド３３が取り付けられている。表示パネル３４の前側には、枠状のフレーム３２と、フレーム３２の前方を覆うフレームカバー３１が配置されている。  表示パネル３４の後側には、後方から入射される光を通過、拡散及び集光させるための複数の光学シート３５が重ねて配置されている。光学シート３５の後側には、厚みが薄い直方体状の導光板３６が配置されている。導光板３６の下側の長側面に対向する位置にＬＥＤ基板３７１が配置されており、さらに、ＬＥＤ基板３７１を固定する基板固定部材３７２が備えられている。ＬＥＤ基板３７１は、矩形状をなす基板に複数のＬＥＤ（発光ダイオード）を並設してなる。なお、ＬＥＤの代わりに、冷陰極管等の光源を用いることにしてもよい。ＬＥＤ基板３７１のＬＥＤは、導光板３６の長側面へ光を入射する。導光板３６の長側面へ入射した光は、導光板３６の内部を伝播し、導光板３６の前面から前方へ出射される。導光板３６の後側には、導光板３６の後側へ漏れた光を反射させる反射シート３８が配置されている。導光板３６から出射した光は、複数の光学シート３５を通過し、表示パネル３４を後側から照明する。表示パネル３４が光の透過量を調整することにより、映像が前側に表示される。
【００２８】
反射シート３８の後側には、皿板状をなすシャーシ５が配置されている。シャーシ５は例えばアルミニウム等の金属製である。基板固定部材３７２はシャーシ５に固定されている。パネルガイド３３、表示パネル３４、光学シート３５、導光板３６及び反射シート３８は、フレーム３２とシャーシ５との間に挟まれており、フレーム３２がシャーシ５にネジで連結されていることにより、シャーシ５に固定されている。
【００２９】
シャーシ５の後側には、ＬＥＤ基板３７１のＬＥＤを駆動させるＬＥＤドライバ３９１、ＬＥＤドライバ３９１の後側を覆うシールド３９２、表示装置１に必要な処理を実行する処理部３９３、及び不図示のリモートコントローラからの信号を受信する信号受信部３９４が取り付けられている。処理部３９３は、回路基板に信号処理回路を設けてなる。処理部３９３は、テレビジョン放送を受信する受信部、及び映像処理部等を含んでおり、テレビジョン放送を受信し、受信したテレビジョン放送に基づいた映像を表示パネル３４により表示するための処理を実行する。
【００３０】
図８に示すように、後カバー４は、４つのネジ４１により後側からシャーシ５に固定されている。ネジ４１は金属製である。後カバー４の後面には、４か所に、ネジ４１を通すための丸孔４２が形成されている。シャーシ５の後面からは、ネジ４１を螺合するためのボス５１が後方へ突出している。丸孔４２は、ネジ４１で後カバー４が固定された後にシール４３で塞がれる。
【００３１】
図９に示すように、後カバー４は、ネジ４１を後側から取り付けるためのシャーシ取付部４４を有しており、シャーシ取付部４４は後カバー４の板状部４８から前方へ突出している。シャーシ取付部４４は、板状部材を前方へ突出するように屈曲させた構成となっており、上下方向に長尺の形状になっている。板状部４８に２つのシャーシ取付部４４が並列に設けられている。各シャーシ取付部４４には、ネジ４１の軸を貫通させるためのネジ挿通孔４５が２個ずつ形成されている。さらに、各シャーシ取付部４４の上端部及び下端部には、後述する被覆部材６，７をネジ留めするためのネジ孔４６，４６が設けられている（上側のネジ孔４６は不図示）。シャーシ取付部４４は、板状部４８とは別の部材で形成されており、板状部４８の前面に固定されている。
【００３２】
以下、被覆部材６及び７について詳述する。
図１０は被覆部材６を示す斜視図、図１１は被覆部材６を示す正面図である。
被覆部材６は、例えば鋼製であり、矩形板状をなす本体６１を有し、本体６１の短手方向の両端縁部に、細長い矩形板状をなす当接部（立ち上がり部）６２，６２を備える。当接部６２，６２は、本体６１の両端縁部を同一方向に垂直に曲げて形成される。本体６１の長手方向の両端部側は下側へ折り曲げてあり、被覆部材６は全体として、正面視でコの字状をなす。被覆部材６は以上のように構成されており、雨樋構造を有する。本体６１の長手方向の中央部寄りには２箇所、短手方向の中央部分にコの字状をなす切れ目６３，６３が設けられ、本体６１の切れ目６３，６３を設けた部分を下側に切り起こすことにより、取付部６４，６４が形成されている。取付部６４，６４にはネジ挿通孔が設けられており、ネジ４７，４７を該ネジ挿通孔に挿通してある。
【００３３】
図１２は、被覆部材７を示す斜視図である。
被覆部材７は、矩形板状をなす本体７１を有し、本体７１の短手方向の両端縁部に、細長い矩形板状をなす当接部７２，７２を備える。当接部７２，７２は、本体７１の両端縁部を同一方向に垂直に曲げて形成される。本体７１の長手方向の両端部側は上側へ折り曲げてあり、被覆部材７は全体として、正面視でコの字状をなす。本体７１の長手方向の中央部寄りには２箇所、短手方向の中央部分にコの字状をなす切れ目７３，７３が設けられ、本体７１の切れ目７３，７３を設けた部分を上側に切り起こすことにより、取付部７４，７４が形成されている。さらに、本体７１の、取付部７４，７４の端部側部分には、側面視がコの字状をなすスペーサ７５，７５が設けられている。図８に示すように、スペーサ７５，７５は、フレーム３２の底面に当接している。
【００３４】
図３、４、及び８に示すように、被覆部材６は、本体６１が表示部３の長側面及び両短側面の上側部分を覆い、前側の当接部６２が透明板１１１の背面に当接し、後側の当接部６２が後カバー４の板状部４８の前面に当接している。この状態で、取付部６４，６４のネジ挿通孔にネジ４７，４７が挿通され、上側のネジ孔４６，４６に螺合されることにより、後カバー４に固定される。
被覆部材７は、本体７１が表示部３の長側面及び両短側面の下側部分を覆い、前側の当接部７２が透明板１１１の背面に当接し、後側の当接部７２が後カバー４の板状部４８の前面に当接している。この状態で、取付部７４，７４のネジ挿通孔にネジ４７，４７が挿通され、下側のネジ孔４６，４６に螺合されることにより、後カバー４に固定される。
【００３５】
本実施の形態の筐体１０は以上のように構成されており、被覆部材６が雨樋構造を有するので、筐体１０の上側から水が浸入した場合に、水が被覆部材６の端部から流れ落ちて、被覆部材７の本体７１の上面等に溜まり、表示部３への水の浸入が抑制される。
被覆部材７は、スペーサ７５を有するので、信号受信部３９４を表示パネル３４の下側中央部に配置するスペースを確保することができ、リモートコントロールの受光角度を３０度等の所定値に保持することができるとともに、本体７１に水を溜めて、表示部３が水没するのを抑制することができる。
【００３６】
そして、被覆部材６及び７により、表示部３の上下方向、左右方向の位置決めを行うことができる。
また、被覆部材６の当接部６２，６２が透明板１１１の背面，後カバー４の板状部４８に当接され、被覆部材７の当接部７２，７２が透明板１１１の背面，後カバー４の板状部４８に当接されることにより、透明板１１１が付勢され、透明板１１１が良好に保持される。従って、表示装置１がずれた場合に、透明板１１１の前後方向の動きが抑止されるとともに、表示部３の上下方向、前後方向の動きが抑止される。被覆部材６及び７は正面視がコの字状をなすので、表示部３の左右方向の動きも抑止される。また、被覆部材６及び７は雨樋構造を有するので、強度も良好である。
【００３７】
実施の形態２．
本発明の実施の形態２に係る筐体は、被覆部材６及び７の外面側が、合成樹脂からなる絶縁シートに覆われている点が、実施の形態１に係る筐体１と異なる。
図１３は、本発明の実施の形態２に係る被覆部材６を示す斜視図である。図中、図１０と同一部分は、同一符号を付して詳細な説明を省略する。
図１３に示すように、被覆部材６の本体６１の外面、及び当接部６２，６２は、絶縁シート６５により覆われている。
被覆部材７も同様に、被覆部材７の本体７１の外面、及び当接部７２，７２は、絶縁シートにより覆われている。
【００３８】
本実施の形態においては、被覆部材６及び７により、止水するとともに、前カバー１１及び後カバー４と、表示部３との間を絶縁することができる。
【００３９】
実施の形態３．
本発明の実施の形態３に係る筐体は、被覆部材６，７の取付部の構成が、実施の形態１に係る筐体１の被覆部材６，７の取付部６４，７４の構成と異なる。
図１４は、本発明の実施の形態３に係る被覆部材６を示す斜視図である。図中、図１０と同一部分は、同一符号を付して詳細な説明を省略する。
図１４に示すように、本体６１の長手方向の中央部寄りには２箇所、短手方向の後側の端部からコの字状に切れ目６６，６６が設けられ、本体６１の切れ目６６，６６を設けた部分を下側に切り起こすことにより、取付部６７，６７が形成されている。取付部６７，６７にはネジ挿通孔が設けられている。
被覆部材７にも、同様に、短手方向の後側の端部からコの字状に切れ目が設けられ、本体６１の切れ目を設けた部分を上側に切り起こすことにより、取付部が形成される。
【００４０】
本実施の形態においては、被覆部材６の本体６１の短手方向の後側の端部からコの字状に切れ目６６を設けた上で切り起こして取付部６７を形成するので、切れ目を本体６１の短手方向の中央部に設けた場合と比較して、開口部が本体６１の端部寄りに形成されることになる。従って、水が浸入した場合に端部側へ流れることになり、表示部３の直上に水が落ちるのが抑制されている。また、被覆部材７に溜まった水も本体７１の短手方向の後側の端部からカバー４の底面に流れ落ち得る。
【００４１】
実施の形態４．
本発明の実施の形態１に係る筐体１の被覆部材が、コの字状をなす被覆部材６，７の２部材からなるのに対し、本発明の実施の形態４に係る筐体は、被覆部材１６は一体化され、ロの字状をなす。
図１５は、本発明の実施の形態４に係る被覆部材１６を示す斜視図である。
図１５に示すように、被覆部材１６は、枠状をなす本体１６１を有し、本体１６１の短手方向の両端縁部に、細長い矩形板状をなす当接部１６２，１６２を備える。本体１６１の上部の長手方向の中央部寄りには２箇所、短手方向の中央部分にコの字状をなす切れ目１６３，１６３が設けられ、本体１６１の切れ目１６３，１６３を設けた部分を下側に切り起こすことにより、取付部１６４，１６４が形成されている。取付部１６４，１６４にはネジ挿通孔が設けられている。
【００４２】
本体１６１の下部の長手方向の中央部寄りには２箇所、短手方向の中央部分にコの字状をなす切れ目１６３，１６３が設けられ、本体１６１の切れ目１６３，１６３を設けた部分を上側に切り起こすことにより、取付部１６４，１６４が形成されている。本体１６１の、取付部１６４，１６４の端部側部分には、側面視がコの字状をなすスペーサ１６５，１６５が設けられている。
【００４３】
本実施の形態においては、表示部３への水の浸入が確実に防止される。
【００４４】
以上のように、本発明に係る筐体（１０）は、機能部品（３）を収納するための筐体において、前記機能部品の少なくとも一部を覆う被覆部材（６、７、１６）を備えることを特徴とする。
本発明においては、筐体内に水が浸入した場合に、機能部品に水がかかるのを防止することができる。
【００４５】
本発明に係る筐体は、前記被覆部材は、矩形板状をなし、短手方向の両端縁部に、同一方向に垂直に立ち上がる立ち上がり部（６２、７２、１６２）を備えることを特徴とする。
本発明においては、当接部により、機能部品を支持することができる。また、被覆部材の強度も良好である。
【００４６】
本発明に係る筐体は、前記機能部品は矩形板状をなし、前記被覆部材は、前記機能部品の長側面、及び該長側面に隣接する両短側面の一部を覆うように構成されていることを特徴とする。
本発明においては、雨樋構造を有するので、カバー内に水が浸入した場合に、水が被覆部材の端部に流れて、筐体の底面に落下し、機能部品への浸入を抑制することができる。  そして、機能部品の上側及び下側を覆う被覆部材が同一形状を有する場合、金型が一つで済み、部品の共通化を図ることができる。
【００４７】
本発明に係る筐体は、前記被覆部材の一部に、前記機能部品の側面との間隔を隔てるためのスペーサ（７５、１６５）を備えることを特徴とする。
本発明においては、万一、水がカバー内に浸入し、被覆部材の内側に水が溜まった場合に、機能部品の側面とスペーサにより間隔を隔ててあるので、機能部品が水没するのが抑制されている。
【００４８】
本発明に係る筐体は、前記被覆部材は、前記矩形板状の部分（６１、７１、１６１）に垂直に設けられ、前記部分を底板に取り付けるための取付部（６４、７４、１６４）を備えることを特徴とする。
本発明においては、簡単な構造で、被覆部材を筐体の底板に取り付けることができる。
【００４９】
本発明に係る筐体は、前記取付部（６７）は、前記部分の短手方向の一方の端部からコの字状に切れ目（６６）を設け、該切れ目を設けた部分を切り起こすことにより形成してあることを特徴とする。
本発明においては、切れ目を前記部分の短手方向の中央部に設けた場合と比較して、開口部が端部寄りに形成されることになる。従って、被覆部材を機能部品の上側に配した場合、水が浸入したときに端部側へ流れることになり、機能部品の直上に水が落ちるのが抑制されている。また、被覆部材を機能部品の下側に配した場合、前記部分に溜まった水が前記部分の短手方向の後側の端部から筐体の底面に流れ落ち得る。
【００５０】
本発明に係る筐体は、前記取付部（６４、６７、７４、１６４）は、前記部分の短手方向の中央部分にコの字状をなす切れ目（６３、７３、１６３）を設け、該切れ目を設けた部分を切り起こすことにより形成されることを特徴とする。
本発明においては、容易に取付部を形成することができる。
【００５１】
本発明に係る筐体は、前記被覆部材は、前記機能部品の全側面を覆うように構成されていることを特徴とする。
本発明においては、機能部品への水の浸入が確実に防止される。
【００５２】
本発明に係る表示装置（１）は、映像を表示する表示部（３）と、該表示部を収納する上述のいずれかの筐体とを備えることを特徴とする。
本発明においては、表示部への水の浸入が良好に抑制されている。
【００５３】
本発明に係る浴室（２）は、上述のいずれかの筐体を壁（２２、２３）に取り付けてあることを特徴とする。
本発明においては、使用中に筐体に水がかかった場合に、機能部品に水が浸入するのが良好に抑制されている。
【００５４】
本発明は上述した実施の形態の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
上述した実施の形態においては、機能部品として表示部３を適用した場合につき説明しているがこれに限定されるものではなく、パーソナルコンピュータ、ゲーム機器、音響機器、冷暖房機器、照明機器、冷蔵庫、時計等の電気機器であってもよい。また、電気機器に限らず、収納装置、鏡、小物入れ等の浴室付属部品であってもよい。さらには、水槽、絵画、彫刻等の観賞物であってもよい。これらは例示であって、限定されるものではない。
【符号の説明】
【００５５】
１  表示装置
１０  筐体
２  浴室
２１  壁パネル
２２  上側パネル
２３  下側パネル
２４  化粧パネル
２５  支持フレーム
３  表示部
３４  表示パネル
３９４  信号受信部
４  後カバー
４４  シャーシ取付部
４６  ネジ孔
４７  ネジ
４８  板状部
５  シャーシ
６、７、１６  被覆部材
６１、７１、１６１  本体
６２、７２、１６２  当接部
６３、６６、７３、１６３  切れ目
６４、６７、７４、１６４  取付部
１１  前カバー
１１１  透明板
１１２  枠
【図１】
0006473579.tif 000002
【図２】
0006473579.tif 000003
【図３】
0006473579.tif 000004
【図４】
0006473579.tif 000005
【図５】
0006473579.tif 000006
【図６】
0006473579.tif 000007
【図７】
0006473579.tif 000008
【図８】
0006473579.tif 000009
【図９】
0006473579.tif 000010
【図１０】
0006473579.tif 000011
【図１１】
0006473579.tif 000012
【図１２】
0006473579.tif 000013
【図１３】
0006473579.tif 000014
【図１４】
0006473579.tif 000015
【図１５】
0006473579.tif 000016